(57)【要約】【課題】多くの光コネクタをスペース効率よく収容しつつ、光コネクタの収容及び取り出しを容易に行うことができる光コネクタ収容器及び光コネクタ収容方法を提供する。【解決手段】  光コネクタ収容器４は、光成端架１の裏扉５に着脱自在に取り付けられる取付壁部８と、取付壁部８と一体化され、光コネクタを収容する収容部９を有する収容器本体１０と、光コネクタの付いた保留光コードを収容部９へガイドするためのガイド部１１と、収容器本体１０における取付壁部８の反対側に開放するように形成された開放部１３と、この開放部１３を開閉自在に覆うカバー部１４と、を備えている。光コネクタ収容器４に光コネクタを収容するときは、カバー部１４を開いて、開放部１３を開放し、光コネクタを開放部１３からガイド部１１に沿わせて収容部９へ収容した後、固定部１２により保留光コードをガイド部１３に対して固定する。【選択図】  図２
2010145750.tif 000002
【特許請求の範囲】
【請求項１】
複数本の光コードを配線する光成端架に設けられ、未接続の光コードの先端部に装着された光コネクタを収容する光コネクタ収容器において、
前記光成端架に着脱自在に取り付けられた取付壁部と、
前記取付壁部と一体化され、前記光コネクタを収容する収容部を有する収容器本体と、
前記光コードを前記収容部へガイドするためのガイド部と、
前記光コードを前記ガイド部に対して固定する固定部と、
前記収容器本体における前記取付壁部の反対側に開放するように形成された開放部と、
前記開放部を開閉自在に覆うカバー部と、を備えることを特徴とする光コネクタ収容器。
【請求項２】
前記固定部は、前記取付壁部にヒンジ部を介して開閉自在に設けられており、
前記固定部には、前記光コードを前記ガイド部に押し付ける弾性体が装着されていることを特徴とする請求項１記載の光コネクタ収容器。
【請求項３】
前記カバー部は、面ファスナによって構成されており、
前記面ファスナの基端部は、前記収容器本体に固定され、
前記面ファスナの先端部は、前記ガイド部または前記固定部に設けられたファスナ受け部に対して着脱可能であることを特徴とする請求項１または請求項２記載の光コネクタ収容器。
【請求項４】
前記取付壁部は、前記光成端架の取付穴に嵌合する突起部と、前記取付穴に挿入され、前記取付壁部を前記光成端架に係止する係止片とを有することを特徴とする請求項１〜請求項３の何れか一項記載の光コネクタ収容器。
【請求項５】
前記突起部は、枠状に形成された突起本体と、前記突起本体の内面に固定されたリブと、を有することを特徴とする請求項４記載の光コネクタ収容器。
【請求項６】
複数本の光コードを配線する光成端架に設けられた請求項１の光コネクタ収容器に、未接続の光コードの先端部に装着された光コネクタを収容する光コネクタ収容方法であって、
前記カバー部を開き、前記開放部を開放する工程と、
前記開放部を開放した後に、前記光コネクタを前記開放部から前記ガイド部に沿わせて前記収容部へ収容する工程と、
前記光コネクタを前記収容部に収容した後に、前記固定部により前記光コードを前記ガイド部に対して固定する工程と、
前記カバー部を閉じて、前記開放部を覆う工程と、
を含むことを特徴とする光コネクタ収容方法。
【発明の詳細な説明】
【技術分野】
【０００１】
本発明は、光成端架において未接続の光コードに装着された光コネクタを収容する光コネクタ収容器、及び光コネクタ収容方法に関するものである。
【背景技術】
【０００２】
従来、光成端架に具備された光コネクタ収容器としては、例えば特許文献１に記載されたものが知られている。特許文献１に記載の光コネクタ収容器は、光コードの先端部に装着された光コネクタプラグを係止する複数の係止部を有し、収容部から引き込まれた光コードのうち未接続の光コードを保留するものである。
【特許文献１】特開２００１―５７６８３号公報
【発明の開示】
【発明が解決しようとする課題】
【０００３】
ところで、光成端架においては、数多くの光コードが配線される。このため、光成端架用の光コネクタ収容器としては、多くの光コネクタをスペース効率よく収容できることや、光コネクタの収容及び取り出しが容易に行えることが強く望まれている。
【０００４】
そこで、本発明の目的は、多くの光コネクタをスペース効率よく収容しつつ、光コネクタの収容及び取り出しを容易に行うことができる光コネクタ収容器、及び光コネクタ収容方法を提供することである。
【課題を解決するための手段】
【０００５】
本発明に係る光コネクタ収容器は、複数本の光コードを配線する光成端架に設けられ、未接続の光コードの先端部に装着された光コネクタを収容する光コネクタ収容器において、光成端架に着脱自在に取り付けられた取付壁部と、取付壁部と一体化され、光コネクタを収容する収容部を有する収容器本体と、光コードを収容部へガイドするためのガイド部と、光コードをガイド部に対して固定する固定部と、収容器本体における取付壁部の反対側に開放するように形成された開放部と、開放部を開閉自在に覆うカバー部と、を備えることを特徴とする。
【０００６】
上記の光コネクタ収容器において、未接続の光コードの先端部に装着された光コネクタを収容する場合、カバー部を開いて開放部を開放させ、その開放部から光コネクタをガイド部に沿わせて収容部へ収容した後、固定部により光コードをガイド部に対して固定する。また、光コネクタ収容器に収容された光コネクタを取り出す場合、カバー部を開いて開放部を開放させ、固定部による光コードの固定を解除し、開放部から光コネクタを取り出す。これにより、光コネクタ収容器を光成端架から取り外すことなく、開放部を介して光コネクタの収容及び取り出しを容易に行うことができる。また、光コネクタを開放部から収容部へ収容するので、作業者が収容状況を目視しながら、多くの光コネクタをスペース効率良く収容することができる。さらに、開放部を開閉自在に覆うカバー部を設けることにより、開放部からの光コードの飛び出しを防止することができる。
【０００７】
本発明の光コネクタ収容器においては、固定部は、取付壁部にヒンジ部を介して開閉自在に設けられており、固定部には、光コードをガイド部に押し付ける弾性体が装着されていることが好ましい。この場合、光コードは、弾性体を介してガイド部に固定されることになる。このため、光コードをガイド部に固定する際、弾性体を有さない場合に比べて強い力が光コードに加わりにくくなる。したがって、光コードを損傷させることなくガイド部に固定することができる。
【０００８】
また、本発明の光コネクタ収容器においては、カバー部は、面ファスナによって構成されており、面ファスナの基端部は、収容器本体に固定され、面ファスナの先端部は、ガイド部または固定部に設けられたファスナ受け部に対して着脱可能であることが好ましい。この場合、面ファスナの着脱によって容易に開放部を開閉自在に覆うことができる。したがって、光コネクタ収容器からの光コネクタの不慮の飛び出しを簡単な構造で確実に防止することができる。
【０００９】
また、本発明の光コネクタ収容器においては、取付壁部には、光成端架の取付穴に嵌合する突起部と、取付穴に挿入され、取付壁部を光成端架に係止する係止片とを有することが好ましい。この場合、必要に応じて、光成端架への光コネクタ収容器の取り付け、または光成端架からの光コネクタ収容器の取り外しを容易に行うことができる。
【００１０】
また、本発明の光コネクタ収容器においては、突起部は、枠状に形成された突起本体と、突起本体の内面に固定されたリブと、を有することが好ましい。この場合、突起部は枠状の突起本体を有しているため、光コネクタ収容器に多数の光コネクタが収容され、光コネクタ収容器にかかる荷重が比較的大きくなった場合であっても、光成端架に対する光コネクタ収容器の姿勢を一定に維持することができる。また、突起本体の内面にはリブが固定されているので、突起部の外形寸法より小さい寸法の取付穴に突起部を嵌合することが可能であり、この場合、突起部と取付穴との摩擦抵抗により光コネクタ収容器が強固に保持されることとなる。従って、光成端架に対する光コネクタ収容器の姿勢をより確実に維持することができる。
【００１１】
また、本発明に係る光コネクタ収容方法は、複数本の光コードを配線する光成端架に設けられた上記の光コネクタ収容器に、未接続の光コードの先端部に装着された光コネクタを収容する光コネクタ収容方法であって、カバー部を開き、開放部を開放する工程と、開放部を開放した後に、光コネクタを開放部からガイド部に沿わせて収容部へ収容する工程と、光コネクタを収容部に収容した後に固定部により光コードをガイド部に対して固定する工程と、カバー部を閉じて、開放部を覆う工程と、を含むことを特徴とする。
【００１２】
上記の光コネクタ収容方法においては、上述したように、光コネクタ収容器を光成端架から取り外すことなく、開放部を介して光コネクタの収容及び取り出しを容易に行うことができる。また、光コネクタを開放部から収容部へ収容するので、作業者が収容状況を目視しながら、多くの光コネクタをスペース効率良く収容することができる。
【発明の効果】
【００１３】
本発明によれば、多くの光コネクタをスペース効率よく収容しつつ、光コネクタの収容及び取り出しを容易に行うことができる光コネクタ収容器及び光コネクタ収容方法を提供することができる。
【発明を実施するための最良の形態】
【００１４】
以下、本発明に係る光コネクタ収容器の好適な実施形態について図面を参照して詳細に説明する。
【００１５】
図１は、本発明に係る光コネクタ収容器の一実施形態を備えた光成端架を示す概略正面図である。図１において、光成端架１は、所外（加入者側）光ケーブルに内蔵された複数本の光ファイバコード（以下、単に光コードという）と架間光ケーブルに内蔵された複数本の光コードとを接続する光配線装置である。
【００１６】
光成端架１は、所外光ケーブルに内蔵された光コードと接続された複数のカプラユニット（図示せず）と、架間光ケーブルに内蔵された光コードと接続された複数のジャンパユニット２とを備え、これらのユニット同士は光コードで接続される。光コードの両端部には光コネクタ（例えばＭＵコネクタ）が装着されており、光コードと各ユニットとがコネクタ接続される。このとき、ジャンパユニット２にはコネクタ接続されているが、カプラユニットにはコネクタ接続されていない光コード（以下、保留光コードという）３が多数存在する。
【００１７】
そこで、光成端架１には、そのような保留光コード３を保留すべく、保留光コード３の先端部に装着された光コネクタ１９（図６等参照）を収容するための複数の光コネクタ収容器４が具備されている。これらの光コネクタ収容器４は、光成端架１の裏扉５に取り付けられている。光コネクタ収容器４は、ジャンパユニット２と同じ数だけ有しており、各ジャンパユニット２と１対１の対応関係となっている。光コネクタ収容器４は、複数段にわたって２列に配置されている。裏扉５には、各光コネクタ収容器４を取り付けるための矩形状の大穴部６及び小穴部７が並んで複数ずつ形成されている（図６等参照）。
【００１８】
図２は、光コネクタ収容器４の外観を示す斜視図である。図２に示されるように、光コネクタ収容器４は、光成端架１の裏扉５に着脱自在に取り付けられる取付壁部８と、取付壁部８と一体化され、光コネクタ１９を収容する収容部９を有する収容器本体１０と、収容器本体１０と一体化され、保留光コード３を収容部９へガイドするためのガイド部１１と、取付壁部８にヒンジ部１２ａを介して開閉（回動）自在に設けられ、保留光コード３をガイド部１１に対して固定する固定部１２と、を備えている。収容器本体１０には、取付壁部８の反対側（前面側）に開放するように開放部１３が形成されている。また、収容器本体１０には、開放部１３を開閉自在に覆うカバー部１４が取り付けられている。なお、取付壁部８、収容器本体１０、ガイド部１１及び固定部１２は、例えば、ポリプロピレン等のプラスチックで形成されている。
【００１９】
取付壁部８は、図３に示されるように、一対の弾性係止片１６を有する。弾性係止片１６の先端部には、引っ掛け爪１６ａが設けられている。弾性係止片１６は、光成端架１の裏扉５の大穴部６及び小穴部７（図５参照）に挿入され、引っ掛け爪１６ａが裏扉５に引っ掛かることにより、取付壁部８を光成端架１の裏扉５に係止する。このように、取付壁部８は、弾性係止片１６によって光成端架１の裏扉５に着脱可能に取り付けられる。これにより、光成端架１への光コネクタ収容器４の取り付け、または光成端架１からの光コネクタ収容器４の取り外しを容易に行うことができる。
【００２０】
取付壁部８は、大突起部１７及び小突起部１８をさらに有する。大突起部１７及び小突起部１８は、裏扉５の大穴部６及び小穴部７に嵌合するように構成されている。また、大突起部１７及び小突起部１８は、それぞれ枠状に形成された突起本体１７ａ及び１８ａを有する。このため、光コネクタ収容器４に多数の光コネクタ１９（図６参照）が収容され、光コネクタ収容器４にかかる荷重が比較的大きくなった場合であっても、光成端架１に対する光コネクタ収容器４の姿勢を一定に維持することができる。
【００２１】
突起本体部１７ａ及び１８ａの内部には、格子状のリブ１７ｂ及び１８ｂが固定されている。大突起部１７及び小突起部１８は、上記のような構成のため、弾性を有する。このため、裏扉５の大穴部６及び小穴部７の開口寸法が大突起部１７及び小突起部１８の外形寸法よりも僅かに小さくても、大突起部１７及び小突起部１８を大穴部６及び小穴部７にそれぞれ嵌合することができる。このため、図５に示されるように、光コネクタ収容器４を光成端架１の裏扉５に取り付ける際に、大突起部１７及び小突起部１８と裏扉５の大穴部６及び小穴部７との間に摩擦抵抗が生じて、光コネクタ収容器４が強固に保持されることとなる。従って、光成端架１に対する光コネクタ収容器４の姿勢をより確実に維持することができる。
【００２２】
ガイド部１１は、図２に示されるように、収容部９の奥側（取付壁部８側）から手前側（開放部１３側）に向かって延設されており、保留光コード３に曲げ癖がつかないように、最小曲げ半径が２０ｍｍ以上のＲを有している。ガイド部１１において、取付壁部８とは反対側の端部の側面には、固定部１２を係止するための係止用突起１５が設けられている。
【００２３】
図３は、光コネクタ収容器４の外観を示す裏面斜視図である。図２及び図３に示されるように、固定部１２の裏面には、スポンジ１２ｂが装着されている。固定部１２は、図７に示されるように、このスポンジ１２ｂによって、保留光コード３をガイド部１１へ押し付けて固定する。このため、保留光コード３をガイド部１１に固定する際、スポンジ１２ｂを有さない場合に比べて強い力が保留光コード３に加わりにくくなる。したがって、保留光コード３を損傷させることなくガイド部１１に固定することができる。
【００２４】
また、図２及び図３に示されるように、固定部１２において、ヒンジ部１２ａの反対側の端部には、係止用突起１５と係合する係止穴１２ｃを有する係止受け部１２ｄが設けられている。図７に示されるように、係止用突起１５が係止穴１２ｃに入って係止受け部１２ｄに引っ掛かることにより、固定部１２が閉じた状態となり、複数本の保留光コード３を一括して固定することが可能となる。これにより、複数本の保留光コード３が煩雑に配線されてしまうことを防止できる。さらに、固定部１２は、図３に示されるように、係止受け部１２ｄに面ファスナ受け部１２ｅを有しており、後述するカバー部１４と着脱可能となっている。
【００２５】
図５に示されるように、ガイド部１１と固定部１２とは、略同位置になるように配置されている。このとき、図１に示されるように、各光コネクタ収容器４が裏扉５の上下方向に接近して取り付けられた場合であっても、上段側の光コネクタ収容器４のガイド部１１が上方に対して凸状となるようなＲを有するので、下段側の光コネクタ収容器４の固定部１２を開ける（上方に回動させる）ためのスペースが確保されている。
【００２６】
カバー部１４は、マジックテープ（登録商標）である面ファスナによって構成されている。カバー部１４の基端部１４ａは、収容器本体１０に固着されている。図４に示されるように、カバー部１４の先端部１４ｂを、閉じた状態の固定部１２の面ファスナ受け部１２ｅに張り合わせることにより、面ファスナ同士による係止が行われ、カバー部１４は閉じた状態（開放部１３を覆った状態）を維持することができる。このように、カバー部１４は、固定部１２の面ファスナ受け部１２ｅとの面ファスナの着脱によって、容易に開放部１３を開閉自在に覆うことができる。したがって、光コネクタ収容器４からの光コネクタ１９の不慮の飛び出しを簡単な構造で確実に防止することができる。
【００２７】
次に、以上のように構成された光コネクタ収容器４に光コネクタ１９を収容する方法について説明する。まず、図６に示すように、開放部１３を覆っているカバー部１４を開き開放部１３を開放する。次いで、係止用突起１５に係止されて閉じた状態の固定部１２を、係止用突起１５による係止を外して、開いた状態にする。次いで、開放された開放部１３から、光コネクタ１９を収容部９へ収容する。このとき、光コネクタ１９から延びる保留光コード３をガイド部１１に沿わせるようにする。続いて、図７に示されるように、固定部１２を閉じて保留光コード３をガイド部１１に対して固定する。その後、図８に示されるように、カバー部１４の先端を固定部１２の面ファスナ受け部１２ｅに貼り付けて、カバー部１４を閉じ、開放部１３を覆う。
【００２８】
以上のように、本実施形態の光コネクタ収容器４にあっては、カバー部１４を開いて開放部１３を開放させ、その開放部１３から光コネクタ１９をガイド部１１に沿わせて収容部９へ収容した後、固定部１２により保留光コード３をガイド部１１に対して固定する。また、光コネクタ収容器４に収容された光コネクタ１９を取り出す場合、カバー部１４を開いて開放部１３を開放させ、固定部１２による保留光コード３の固定を解除し、開放部１３から光コネクタ１９を取り出す。これにより、光コネクタ収容器４を光成端架１から取り外すことなく、開放部１３を介して光コネクタ１９の収容及び取り出しを容易に行うことができる。また、光コネクタ１９を開放部１３から収容部９へ収容するので、作業者が収容状況を目視しながら、多くの光コネクタ１９をスペース効率良く収容することができる。
【００２９】
さらに、開放部１３を開閉自在に覆うカバー部１４を設けることにより、上述したように、開放部１３からの保留光コード３の飛び出しを防止することができる。また、カバー部１４に対する面ファスナ受け部１２ｅを固定部１２の係止受け部１２ｄに設けることにより、固定部１２が閉じた状態でのみカバー部１４を面ファスナによって閉じた状態にすることができる。このため、面ファスナの結合を解いてカバー部１４を開いた状態にしても、保留光コード３は、固定部１２によってカバー部１４に対して固定されている。したがって、光コネクタ１９の不慮の飛び出しが一層起こり難い。
【００３０】
なお、本発明は、上記実施形態に限定されるものではない。例えば、上記実施形態においては、固定部１２の裏面にスポンジ１２ｂが装着されているとしたが、弾性を有する他の部材が装着されていてもよい。また、上記実施形態においては、固定部１２がカバー部１４に対する面ファスナ受け部１２ｅを有する構成としたが、面ファスナ受け部１２ｅをガイド部１１に設けてもよい。
【図面の簡単な説明】
【００３１】
【図１】本発明に係る光コネクタ収容器の一実施形態を備えた光成端架を示す概略正面図である。
【図２】図１に示した光コネクタ収容器の外観を示す斜視図である。
【図３】図１に示した光コネクタ収容器の外観を示す裏面斜視図である。
【図４】図２に示した光コネクタ収容器の固定部及びカバー部が閉じた状態を示す斜視図である。
【図５】図４に示した光コネクタ収容器が光成端架に取り付けられている状態を示す斜視図である。
【図６】図２に示した光コネクタ収容器に保留光コードの光コネクタが収容されている状態を示す斜視図である。
【図７】図６に示した光コネクタ収容器において、収容された保留光コードが固定された状態を示す斜視図である。
【図８】図７に示した光コネクタ収容器において、保留光コードが固定された後、開放部が覆われた状態を示す斜視図である。
【符号の説明】
【００３２】
１…光成端架、３…保留光コード、４…光コネクタ収容器、８…取付壁部、９…収容部、１０…収容器本体、１１…ガイド部、１２…固定部、１２ａ…ヒンジ部、１２ｂ…スポンジ（弾性体）、１２ｅ…面ファスナ受け部、１３…開放部、１４…カバー部、１６…弾性係止片（係止片）、１７…大突起部（突起部）、１８…小突起部（突起部）、１９…光コネクタ
【図１】
2010145750.tif 000003
【図２】
2010145750.tif 000004
【図３】
2010145750.tif 000005
【図４】
2010145750.tif 000006
【図５】
2010145750.tif 000007
【図６】
2010145750.tif 000008
【図７】
2010145750.tif 000009
【図８】
2010145750.tif 000010